(57)【特許請求の範囲】
【請求項１】
通信網と、前記通信網に相互に接続されたサーバと携帯通信機とを備え、前記サーバはメタデータ部を有するコンテンツを保持し、前記携帯通信機はランプと表示部と情報処理部と利用者データとを含み、前記情報処理部は、利用者の要求を受けて前記サーバから前記コンテンツを読み込み、前記コンテンツに含まれる前記メタデータ部を解析し、前記メタデータ部が前記利用者データを要求している場合に前記ランプを点灯させることを特徴とする携帯通信機警告表示システム。
【請求項２】
通信網と、前記通信網に相互に接続されたサーバと携帯通信機とを備え、前記サーバはメタデータ部を有するコンテンツを保持し、前記携帯通信機は表示部と情報処理部とメタ設定値と複数のランプとを含み、前記メタ設定値は前記メタデータ部の記述パターンに対応して前記ランプの点灯個数を設定され、前記情報処理部は、利用者の要求を受けて前記サーバから前記コンテンツを読み込み、前記コンテンツに含まれる前記メタデータ部の情報を判断して前記メタ設定値に設定された個数の前記ランプを点灯させることを特徴とする携帯通信機警告表示システム。
【請求項３】
通信網と、前記通信網に相互に接続されたサーバと携帯通信機とを備え、前記サーバはメタデータ部を有するコンテンツを保持し、前記携帯通信機は表示部と情報処理部と利用者データとを含み、前記情報処理部は、利用者の要求を受けて前記サーバから前記コンテンツを読み込み、前記コンテンツに含まれる前記メタデータ部を解析し、前記メタデータ部が前記利用者データを要求している場合に前記表示部に記号表示することを特徴とする携帯通信機警告表示システム。
【請求項４】
メタデータ部を有するコンテンツを保持するサーバに通信網を介して接続された携帯通信機であって、ランプと表示部と情報処理部と利用者データとを含み、前記情報処理部は、利用者の要求を受けて前記サーバから前記コンテンツを読み込み、前記コンテンツに含まれる前記メタデータ部を解析し、前記メタデータ部が前記利用者データを要求している場合に前記ランプを点灯させることを特徴とする携帯通信機。
【請求項５】
メタデータ部を有するコンテンツを保持するサーバに通信網を介して接続された携帯通信機であって、表示部と情報処理部とメタ設定値と複数のランプとを含み、前記メタ設定値は前記メタデータ部の記述パターンに対応して前記ランプの点灯個数を設定され、前記情報処理部は、利用者の要求を受けて前記サーバから前記コンテンツを読み込み、前記コンテンツに含まれる前記メタデータ部の情報を判断して前記メタ設定値に設定された個数の前記ランプを点灯させることを特徴とする携帯通信機。
【請求項６】
メタデータ部を有するコンテンツを保持するサーバに通信網を介して接続された携帯通信機であって、表示部と情報処理部と利用者データとを含み、前記情報処理部は、利用者の要求を受けて前記サーバから前記コンテンツを読み込み、前記コンテンツに含まれる前記メタデータ部を解析し、前記メタデータ部が前記利用者データを要求している場合に前記表示部に記号表示することを特徴とする携帯通信機。
【発明の詳細な説明】
【０００１】
【発明の属する技術分野】
本発明は携帯通信機警告表示システムに関し、特に、通信網を利用してサーバのコンテンツを携帯通信機に表示する場合の携帯通信機警告表示システムに関する。
【０００２】
【従来の技術】
従来より、携帯型の電話や小型のパーソナルコンピュータを利用したモバイル端末装置などにおける携帯通信機において、携帯通信機からアクセスするサーバの情報は画面だけに表示していた。このため、例えばサーバが携帯通信機を介して、利用者の名前や住所やキャッシュカード番号などの個人情報や電話番号など利用者固有の情報を入手する際にも、この表示部を使って表示するか、あるいは表示を省略していた。
【０００３】
【発明が解決しようとする課題】
しかし、この従来技術には、次のような問題点があった。問題点は第１に、利用者の名前や住所やキャッシュカード番号などの個人情報や電話番号など利用者固有の情報をサーバが入手するような危険な場合でも、サーバが入手したい情報の種類やその理由、使用目的などを含むサーバ側からのメタデータも、警告や注意を表示しなかったり、表示されたとしても携帯通信機の表示部に表示される文字では、通常の情報の表示方法と変わりがないため、利用者が見落とす問題点があった。次の問題点としては、サーバのコンテンツに含まれるメタデータは画面には表示されない場合もあるという問題点があった。あるいは、サーバ側からのメタデータが多い場合は、利用者は全てを読まないといった問題点があった。本発明の目的は、以上の問題点を解決する携帯通信機警告表示システムを提供することにある。
【０００４】
【課題を解決するための手段】
本発明の携帯通信機警告表示システムは、通信網と、前記通信網に相互に接続されたサーバと携帯通信機とを備え、前記サーバはメタデータ部を有するコンテンツを保持し、前記携帯通信機はランプと表示部と情報処理部と利用者データとを含み、前記情報処理部は、利用者の要求を受けて前記サーバから前記コンテンツを読み込み、前記コンテンツに含まれる前記メタデータ部を解析し、前記メタデータ部が前記利用者データを要求している場合に前記ランプを点灯させることを特徴とする。
【０００６】
本発明の携帯通信機警告表示システムは、通信網と、前記通信網に相互に接続されたサーバと携帯通信機とを備え、前記サーバはメタデータ部を有するコンテンツを保持し、前記携帯通信機は表示部と情報処理部とメタ設定値と複数のランプとを含み、前記メタ設定値は前記メタデータ部の記述パターンに対応して前記ランプの点灯個数を設定され、前記情報処理部は、利用者の要求を受けて前記サーバから前記コンテンツを読み込み、前記コンテンツに含まれる前記メタデータ部の情報を判断して前記メタ設定値に設定された個数の前記ランプを点灯させることを特徴としてもよい。
【０００８】
本発明の携帯通信機警告表示システムは、通信網と、前記通信網に相互に接続されたサーバと携帯通信機とを備え、前記サーバはメタデータ部を有するコンテンツを保持し、前記携帯通信機は表示部と情報処理部と利用者データとを含み、前記情報処理部は、利用者の要求を受けて前記サーバから前記コンテンツを読み込み、前記コンテンツに含まれる前記メタデータ部を解析し、前記メタデータ部が前記利用者データを要求している場合に前記表示部に記号表示することを特徴としてもよい。
【００１１】
本発明の携帯通信機は、メタデータ部を有するコンテンツを保持するサーバに通信網を介して接続された携帯通信機であって、ランプと表示部と情報処理部と利用者データとを含み、前記情報処理部は、利用者の要求を受けて前記サーバから前記コンテンツを読み込み、前記コンテンツに含まれる前記メタデータ部を解析し、前記メタデータ部が前記利用者データを要求している場合に前記ランプを点灯させることを特徴とする。
【００１２】
本発明の携帯通信機は、メタデータ部を有するコンテンツを保持するサーバに通信網を介して接続された携帯通信機であって、表示部と情報処理部とメタ設定値と複数のランプとを含み、前記メタ設定値は前記メタデータ部の記述パターンに対応して前記ランプの点灯個数を設定され、前記情報処理部は、利用者の要求を受けて前記サーバから前記コンテンツを読み込み、前記コンテンツに含まれる前記メタデータ部の情報を判断して前記メタ設定値に設定された個数の前記ランプを点灯させることを特徴としてもよい。
【００１４】
本発明の携帯通信機は、メタデータ部を有するコンテンツを保持するサーバに通信網を介して接続された携帯通信機であって、表示部と情報処理部と利用者データとを含み、前記情報処理部は、利用者の要求を受けて前記サーバから前記コンテンツを読み込み、前記コンテンツに含まれる前記メタデータ部を解析し、前記メタデータ部が前記利用者データを要求している場合に前記表示部に記号表示することを特徴としてもよい。。
【００１６】
【発明の実施の形態】
本発明の実施の形態について図面を参照して詳細に説明する。図１は、本発明の第１の実施の形態の全体構成図である。
【００１７】
図１を参照すると、第１の実施の形態は、携帯通信機１０と、サーバ２０と、これらを接続する通信網３０とから構成される。
【００１８】
携帯通信機１０は、ＬＣＤ（ｌｉｑｕｉｄ  ｃｒｙｓｔａｌ  ｄｅｖｉｃｅ）１１と、表示部１２と、操作部１３と、携帯通信機処理部１４とを含み、電波や電話回線などを通して通信網に接続する。携帯通信機処理部１４は、通信処理部１６と、情報処理部１７と、利用者データ１８とを含む。携帯通信機処理部１４は携帯通信機１０の内部に実装されるが、図１ではわかりやすくするために携帯通信機１０の外に記載している。
【００１９】
サーバ２０は、コンテンツＡ３１とコンテンツＢ３４とを含む。コンテンツは通常、複数であり、図２では２個の例を示している。コンテンツＡ３１はメタデータ部Ａ３２とデータ部Ａ３３とを含む。コンテンツＢ３４はメタデータ部Ｂ３５とデータ部Ｂ３６とを含む。
【００２０】
構成をさらに詳細に説明する。
【００２１】
携帯通信機１０は、携帯型の電話や小型のパーソナルコンピュータを利用したモバイル端末装置などであり、警告ランプとして使用するＬＣＤ１１を備えている。また、携帯通信機処理部１４に、利用者の名前や住所やキャッシュカード番号などの個人情報や携帯通信機１０の電話番号など利用者固有の情報である利用者データ１８を持つ。
【００２２】
サーバ２０はインターネットのウェブサーバやオンラインショップのサーバ、取引銀行のサーバなどであり、テキストや画像を含むデータ部、そのメタデータであるメタデータ部をコンテンツとして備えている。このコンテンツはサーバ２０内に複数保持することができ、図１ではこれをコンテンツＡ３１、コンテンツＢ３４、およびそれぞれのコンテンツ内のメタデータ部Ａ３２、データ部Ａ３３、およびメタデータ部Ｂ３５、データ部Ｂ３６で表しており、動的・静的を問わない。メタデータ部Ａ３２やメタデータ部Ｂ３５はデータ部Ａ３３とデータ部Ｂ３６のメタデータを示す場合と、サーバ２０におけるオンラインショップ処理や銀行取引処理などで使用するために必要な利用者データ１８の種類を示す場合などがあり、携帯通信機処理部１４の情報処理部１７で処理可能なデータである。
【００２３】
通信網３０はインターネットなどのネットワークであり、有線・無線を問わない。
【００２４】
次に、図１、２を参照して、第１の実施の形態の動作について詳細に説明する。図２は第１の実施の形態の動作を示すフローチャートである。なお、以降の説明では、通信網３０はインターネットであるとする。
【００２５】
図２を参照すると、利用者は携帯通信機１０の表示部１２と操作部１３とを用いて要求操作を行い（ステップＦ０１）、携帯通信機１０の内部に実装された携帯通信機処理部１４の情報処理部１７がサーバ２０内のコンテンツＡ３１の要求を行う（ステップＦ０２）。通信処理部１６は通信網３０を介して要求をサーバ２０に送る。
【００２６】
要求を受けたサーバ２０はサーバ２０のコンテンツであるコンテンツＡ３１の読み込みを行い、送出する（ステップＦ０３）。
【００２７】
携帯通信機処理部１４の通信処理部１６がコンテンツＡ３１を受け、情報処理部１７に渡し、情報処理部１７はコンテンツＡ３１に含まれるメタデータ部Ａ３２の内容を判断し、利用者データ１８が要求されていればＬＣＤ１１の点灯を行い（ステップＦ０４）、携帯通信機１０のＬＣＤ１１に表示する（ステップＦ０５）。次に情報処理部１７はコンテンツＡ３１に含まれるデータ部Ａ３３の内容を表示部１２に対して表示する要求を行い（ステップＦ０６）、携帯通信機１０の表示部１２に表示される（ステップＦ０７）。
【００２８】
利用者は携帯通信機１０のＬＣＤ１１に表示していることや表示部１２の表示内容から利用者データ１８が要求されていることを知り、同意できる場合は利用者データ１８の送信操作を携帯通信機１０の操作部１３で行う（ステップＦ０８）。次に携帯通信機処理部１４の情報処理部１７が利用者データ１８を読み込み、送出要求する（ステップＦ０９）。通信処理部１６は通信網３０を介して利用者データ１８をサーバ２０に送る。
【００２９】
サーバ２０は利用者データ１８を受け取り、処理を行い（ステップＦ１０）、その結果を送出する。あるいは、処理の結果、メタデータ部Ｂ３５とデータ部Ｂ３６を含むコンテンツＢ３４の読み込みを行い、送出する（ステップＦ１１）。
【００３０】
携帯通信機処理部１４の通信処理部１６が結果を受け、情報処理部１７に渡し、情報処理部１７はその結果を表示部１２に対して表示する要求を行う（ステップＦ１２）か、ステップＦ０４、ステップＦ０５の処理を行う。
【００３１】
ここで、サーバ２０が利用者データ１８を受け取った後の例として、処理結果あるいはコンテンツＢ３４を送出するとしたが、このコンテンツＢ３４はメタデータ部Ｂ３５を含まないデータ部Ｂ３６の場合のみも可能である。この場合、携帯通信機処理部１４の通信処理部１６が情報処理部１７に渡した後の処理としては、情報処理部１７がステップＦ０５の処理を行うことになる。
【００３２】
また表示したＬＣＤ１１を消去するタイミングの例としては、利用者データ１８をサーバ２０に対する送出要求の際（ステップＦ０９）、あるいは携帯通信機処理部１４の通信処理部１６が結果やコンテンツＢ３４を受け取った後に表示する際（ステップＦ１２）などがある。
【００３３】
次に、本発明の第２の実施の形態について図面を参照して説明する。図３は、第２の実施の形態の全体構成図である。第２の実施の形態は、図１において携帯通信機１０のＬＣＤ１１が１つであるのに対して、図３における携帯通信機１０はＬＣＤａ１１ａからｎ個番目のＬＣＤｎ１１ｎまでの複数個ある点で第１の実施例とは異なる。また、図１においては存在しなかった携帯通信機処理部１４におけるメタ設定値１９が図３に存在する点で第１の実施の形態とは異なる。
【００３４】
メタ設定値１９は、サーバ２０のコンテンツＡ３１に含まれるメタデータ部Ａ３２の記述パターンを予め幾つか定義されているとき、携帯通信機１０の利用者がこの記述パターンの中で、点灯させるＬＣＤの数を任意に設定することができるものである。図４にコンテンツＡ３１の一例を、図５にメタ設定値１９の一例を示す。
【００３５】
携帯通信機１０はＬＣＤａ１１ａからＬＣＤｎ１１ｎに渡る複数のＬＣＤを使うことにより、サーバ２０のコンテンツＡ３１に含まれるメタデータ部Ａ３２の情報を更に詳しい状態で表示することが可能となる。
【００３６】
次に、第２の実施の形態の動作について説明する。
【００３７】
図３を参照すると、利用者は携帯通信機１０の表示部１２と操作部１３とを用いて要求操作を行い、携帯通信機１０の内部に実装された携帯通信機処理部１４の情報処理部１７がサーバ２０内のコンテンツＡ３１の要求を行い、通信処理部１６は通信網３０を介して要求をサーバ２０に送る。
【００３８】
要求を受けたサーバ２０はサーバ２０のコンテンツであるコンテンツＡ３１の読み込みを行い、送出する。
【００３９】
携帯通信機処理部１４の通信処理部１６がコンテンツＡ３１を受け、情報処理部１７に渡す。情報処理部１７はコンテンツＡ３１にメタデータ部Ａ３２が含まれている場合は、メタ設定値１９の読み込みを行い、メタ設定値１９に設定された設定と同じメタデータ部Ａ３２を判断し、これに相当するだけのＬＣＤａ１１ａからＬＣＤｎ１１ｎに表示する。例えば、設定値０、１、２、３の場合、表示するＬＣＤの数をそれぞれ１、２、３、４個とするような定義をメタ設定値１９で行う。
【００４０】
図４に示すコンテンツＡ３１の例では、メタデータ部Ａ３２には「ＰｕｒｐｏｓｅＬｅｖｅｌ」が「９」となっている。これに対して、図５に示すメタ設定値１９の例では、「ＰｕｒｐｏｓｅＬｅｖｅｌ」が「７〜９」の場合は点灯するＬＣＤの数を「２」とするよう設定されている、つまり、図４、図５に示す例ではＬＣＤａ１１ａからＬＣＤｎ１１ｎの内、２個が点灯することを意味する。
【００４１】
次に情報処理部１７はコンテンツＡ３１に含まれるデータ部Ａ３３の内容を表示部１２に対して表示する要求を行い、携帯通信機１０の表示部１２に表示される。
【００４２】
利用者は携帯通信機１０のＬＣＤａ１１ａからＬＣＤｎ１１ｎの何れかを表示していることや表示部１２の表示内容を確認し、利用者は携帯通信機１０操作部１３を用いて次のコンテンツ参照を行うための要求操作を行い、携帯通信機１０の内部に実装された携帯通信機処理部１４の情報処理部１７がサーバ２０内のコンテンツＡ３１の要求を行い、通信処理部１６は通信網３０を介して要求をサーバ２０に送る。
【００４３】
次に、本発明の第３の実施の形態について図面を参照して説明する。図６は、第３の実施の形態の全体構成図である。第３の実施の形態は、図３において携帯通信機１０のＬＣＤａ１１ａからｎ個番目のＬＣＤｎ１１ｎまで複数個あるＬＣＤに対して、図６における携帯通信機１０はＬＥＤ（ｌｉｇｈｔ  ｅｍｉｔｔｉｎｇ  ｄｉｏｄｅ）ａ４１ａからｎ番目のＬＥＤｎ４１ｎまでという点で第２の実施の形態とは異なる。また、図１におけるＬＣＤが、図６ではＬＥＤとなっている点で第１の実施の形態とは異なる。
【００４４】
次に、第３の実施の形態の動作について説明する。図６を参照すると、利用者は携帯通信機１０表示部１２と操作部１３とを用いて要求操作を行い、携帯通信機１０の内部に実装された携帯通信機処理部１４の情報処理部１７がサーバ２０内のコンテンツＡ３１の要求を行い、通信処理部１６は通信網３０を介して要求をサーバ２０に送る。
【００４５】
要求を受けたサーバ２０はサーバ２０のコンテンツであるコンテンツＡ３１の読み込みを行い、送出する。
【００４６】
携帯通信機処理部１４の通信処理部１６がコンテンツＡ３１を受け、情報処理部１７に渡す。情報処理部１７はコンテンツＡ３１にメタデータ部Ａ３２が含まれている場合は、メタ設定値１９の読み込みを行い、メタ設定値１９に設定された設定と同じメタデータ部Ａ３２を判断し、これに相当するだけのＬＥＤａ４１ａからＬＥＤｎ４１ｎを点滅する。例えば、設定値０、１、２、３の場合、表示するＬＥＤの数をそれぞれ１、２、３、４個とするような定義をメタ設定値１９で行う。次に情報処理部１７はコンテンツＡ３１に含まれるデータ部Ａ３３の内容を表示部１２に対して表示する要求を行い、携帯通信機１０の表示部１２に表示される。
【００４７】
利用者は携帯通信機１０のＬＥＤａ４１ａからＬＥＤｎ４１ｎの何れかを点滅していることや表示部１２の表示内容を確認し、利用者は携帯通信機１０の操作部１３を用いて次のコンテンツ参照を行うための要求操作を行い、携帯通信機１０の内部に実装された携帯通信機処理部１４の情報処理部１７がサーバ２０内のコンテンツＡ３１の要求を行い、通信処理部１６は通信網３０を介して要求をサーバ２０に送る。
【００４８】
ここに示した３つの実施の形態では、表示部１２以外の表示装置としてランプ（ＬＣＤ１１、ＬＣＤａ１１ａ〜ＬＣＤｎ１１ｎ、ＬＥＤａ４１ａ〜ＬＥＤｎ４１ｎ）を使用する例を説明しているが、これらは表示部１２が液晶である場合などはその上段１行、あるいは最下行を使って記号を液晶表示するような、コンテンツの情報と明確に分けた部分において表示することも可能である。
【００４９】
【発明の効果】
以上説明したように、本発明は、携帯通信機から閲覧するサーバが利用者データを要求する場合にサーバのコンテンツに埋められたメタデータを元に、ＬＣＤまたはＬＥＤに表示して、利用者に通常のアクセスではないことを知らせることができるため、利用者の名前や住所やキャッシュカード番号などの個人情報や電話番号など利用者固有の情報を送出する場合などは、表示部を使うことなく警告が行えるという効果がある。
【００５０】
また、携帯通信機から閲覧するサーバが利用者データを要求する場合にサーバのコンテンツに埋められたメタデータを元に、予め携帯通信機に設定しておいたメタデータと照らし合わせて、ＬＣＤまたはＬＥＤに表示するため、利用者に通常のアクセスではなくメタデータが含まれていることを知らせることができ、サーバのコンテンツにおける利用者に対する表示適正値の特性といった画面に表示する以外のメタデータについて、表示部を使うことなく利用者に通知することが可能となる。
【００５１】
さらに、ＬＣＤまたはＬＥＤを使うことにより、携帯通信機が警告のために表示部を使う必要がなく、リソースを有効に活用できるという効果がある。
【図面の簡単な説明】
【図１】第１の実施の形態の全体構成図である。
【図２】第１の実施の形態の動作を示すフローチャートである。
【図３】第２の実施の形態の全体構成図である。
【図４】コンテンツの一例を示す図である。
【図５】メタ設定値の一例を示す図である。
【図６】第３の実施の形態の全体構成図である。
【符号の説明】
１０    携帯通信機
１１    ＬＣＤ
１１ａ    ＬＣＤａ
１１ｎ    ＬＣＤｎ
１２    表示部
１３    操作部
１４    携帯通信機処理部
１６    通信処理部
１７    情報処理部
１８    利用者データ
１９    メタ設定値
２０    サーバ
３０    通信網
３１    コンテンツＡ
３２    メタデータ部Ａ
３３    データ部Ａ
３４    コンテンツＢ
３５    メタデータ部Ｂ
３６    データ部Ｂ
４１ａ    ＬＥＤａ
４１ｎ    ＬＥＤｎ
【図１】
0003612470.tif 000002
【図２】
0003612470.tif 000003
【図３】
0003612470.tif 000004
【図４】
0003612470.tif 000005
【図５】
0003612470.tif 000006
【図６】
0003612470.tif 000007